【手続補正書】
【提出日】平成27年3月5日(2015.3.5)
【手続補正１】
【補正対象書類名】特許請求の範囲
【補正対象項目名】全文
【補正方法】変更
【補正の内容】
【特許請求の範囲】
【請求項１】
インクを吐出するための複数の吐出口が所定方向に配列された吐出口列と、前記複数の吐出口それぞれと対応する位置に設けられ、電圧が印加されることによりインクを吐出するための熱エネルギーを生成する複数の電気熱変換素子と、を備えた記録ヘッドと、
前記複数の電気熱変換素子からの単位時間当たりの発熱量が第１の量となるように、電気熱変換素子に電圧を印加することによりインクが吐出されない程度に電気熱変換素子を発熱させて前記記録ヘッドの加熱を行う第１の加熱手段と、
前記複数の電気熱変換素子からの単位時間当たりの発熱量が前記第１の量よりも少ない第２の量となり、且つ、前記吐出口列内の前記所定方向における第１の領域に位置するＮ個の吐出口と対応する位置に設けられた電気熱変換素子からの単位時間当たりの発熱量が、前記吐出口列内の前記所定方向における前記第１の領域よりも前記吐出口列の端部から遠い第２の領域に位置するＮ個の吐出口と対応する位置に設けられた電気熱変換素子からの単位時間当たりの発熱量よりも多くなるように、電気熱変換素子に電圧を印加することによりインクが吐出されない程度に電気熱変換素子を発熱させて前記記録ヘッドの加熱を行う第２の加熱手段と、
前記第１の加熱手段による加熱および前記第２の加熱手段による加熱の両方が行われた後、前記電気熱変換素子に電圧を印加してインクの吐出を開始するように制御する制御手段と、を有する
ことを特徴とするインクジェット記録装置。
【請求項２】
前記第２の加熱手段は、前記第１の領域に位置するＮ個の吐出口と対応する位置に設けられた前記電気熱変換素子のうちの電圧が印加される電気熱変換素子の数が、前記第２の領域に位置するＮ個の吐出口と対応する位置に設けられた前記電気熱変換素子のうちの電圧が印加される電気熱変換素子の数よりも少なくなるように、前記記録ヘッドを加熱する
ことを特徴とする請求項１に記載のインクジェット記録装置。
【請求項３】
前記第２の加熱手段は、前記第１の領域に位置する前記Ｎ個の吐出口と対応する位置に設けられた前記電気熱変換素子のほぼ全てに電圧を印加することにより前記記録ヘッドを加熱する
ことを特徴とする請求項２に記載のインクジェット記録装置。
【請求項４】
前記第２の加熱手段は、前記第２の領域に位置する前記Ｎ個の吐出口のうち、Ｋ（Ｋ＜Ｎ）個の吐出口と対応する位置に設けられた電気熱変換素子に電圧を印加し、且つ、他のＮ−Ｋ個の吐出口と対応する位置に設けられた電気熱変換素子に電圧を印加せずに前記記録ヘッドを加熱する
ことを特徴とする請求項２または請求項３に記載のインクジェット記録装置。
【請求項５】
前記第１の領域は、前記吐出口列内の前記所定方向における一方の端部に対応する領域であり、前記第２の領域は、前記吐出口列内の前記所定方向における中央部に対応する領域である
ことを特徴とする請求項１から請求項４のいずれか１項に記載のインクジェット記録装置。
【請求項６】
前記第２の加熱手段は、前記吐出口列内の前記所定方向における他方の端部に対応する第３の領域に位置するＮ個の吐出口と対応する位置に設けられた電気熱変換素子からの単位時間当たりの発熱量が、前記第２の領域に位置するＮ個の吐出口と対応する位置に設けられた電気熱変換素子からの単位時間当たりの発熱量よりも多くなるように、前記記録ヘッドを加熱する
ことを特徴とする請求項５に記載のインクジェット記録装置。
【請求項７】
前記第２の加熱手段は、前記吐出口列内の前記所定方向における前記第１の領域と前記第２の領域の間の第４の領域に位置するＮ個の吐出口と対応する位置に設けられた電気熱変換素子からの単位時間当たりの発熱量が、前記第２の領域に位置するＮ個の吐出口と対応する位置に設けられた電気熱変換素子からの単位時間当たりの発熱量よりも多くなり、且つ、前記第１の領域に位置するＮ個の吐出口と対応する位置に設けられた電気熱変換素子からの単位時間当たりの発熱量よりも少なくなるように、前記記録ヘッドを加熱する
ことを特徴とする請求項１から請求項６のいずれか１項に記載のインクジェット記録装置。
【請求項８】
前記第１の加熱手段は、前記複数の電気熱変換素子のほぼ全てに電圧を印加することにより前記記録ヘッドを加熱する
ことを特徴とする請求項１に記載のインクジェット記録装置。
【請求項９】
前記記録ヘッドは、温度を検出するための第１の検出素子を更に備え、
前記第１の検出素子により検出された温度に関する情報を取得する取得手段を更に有する
ことを特徴とする請求項１から請求項８のいずれか１項に記載のインクジェット記録装置。
【請求項１０】
前記記録ヘッドは、前記第１の検出素子を複数備え、
前記取得手段は、前記複数の第１の検出素子により検出された温度のうちの最も高い温度に関する情報を取得する
ことを特徴とする請求項９に記載のインクジェット記録装置。
【請求項１１】
前記複数の第１の検出素子のうちの１つは、前記吐出口列の前記所定方向における一方の端部近傍に備えられ、前記複数の第１の検出素子のうちの他の１つは、前記吐出口列の前記所定方向における他方の端部近傍に備えられている
ことを特徴とする請求項１０に記載のインクジェット記録装置。
【請求項１２】
前記第１の加熱手段は、前記取得手段によって取得された前記情報が示す温度が所定の閾値以下である場合に電気熱変換素子に電圧を印加して加熱を行い、
前記第２の加熱手段は、前記取得手段によって取得された前記情報が示す温度が前記所定の閾値よりも高い場合に電気熱変換素子に電圧を印加して加熱を行う
ことを特徴とする請求項９から請求項１１のいずれか１項に記載のインクジェット記録装置。
【請求項１３】
前記インクジェット記録装置内の環境温度を検出するための前記第１の検出素子と異なる第２の検出素子を更に有し、
前記第２の加熱手段は、前記第１の領域に位置するＮ個の吐出口と対応する位置に設けられた電気熱変換素子からの単位時間当たりの発熱量が前記第２の検出素子により検出された環境温度に応じて異なるように、電気熱変換素子に電圧を印加して前記記録ヘッドを加熱する
ことを特徴とする請求項９から請求項１２のいずれか１項に記載のインクジェット記録装置。
【請求項１４】
前記第２の加熱手段は、前記第２の検出素子により検出された環境温度が第１の温度である場合における前記第１の領域に位置するＮ個の吐出口と対応する位置に設けられた電気熱変換素子からの単位時間当たりの発熱量が、前記第２の検出素子により検出された環境温度が前記第１の温度よりも低い第２の温度である場合における前記第１の領域に位置するＮ個の吐出口と対応する位置に設けられた電気熱変換素子からの単位時間当たりの発熱量よりも少なくなるように、電気熱変換素子に電圧を印加して前記記録ヘッドを加熱する
ことを特徴とする請求項１３に記載のインクジェット記録装置。
【請求項１５】
前記制御手段は、第１の駆動パルスに基づいて電気熱変換素子に電圧を印加することによりインクの吐出を開始し、
前記第１、第２の加熱手段は、前記第１の駆動パルスのパルス幅よりも短いパルス幅を有する第２の駆動パルスに基づいて電気熱変換素子に電圧を印加することにより前記記録ヘッドを加熱する
ことを特徴とする請求項１から請求項１４のいずれか１項に記載のインクジェット記録装置。
【請求項１６】
前記第２の加熱手段は、前記第１の領域に位置するＮ個の吐出口と対応する位置に設けられた前記電気熱変換素子に印加される電圧が、前記第２の領域に位置するＮ個の吐出口と対応する位置に設けられた前記電気熱変換素子に印加される電圧よりも低くなるように、電気熱変換素子に電圧を印加して前記記録ヘッドを加熱する
ことを特徴とする請求項１から請求項１５に記載のインクジェット記録装置。
【請求項１７】
前記第２の加熱手段は、前記第１の領域に位置するＮ個の吐出口と対応する位置に設けられた前記電気熱変換素子に対する電圧の印加時間が、前記第２の領域に位置するＮ個の吐出口と対応する位置に設けられた前記電気熱変換素子に対する電圧の印加時間よりも短くなるように、電気熱変換素子に電圧を印加して前記記録ヘッドを加熱する
ことを特徴とする請求項１から請求項１６のいずれか１項に記載のインクジェット記録装置。
【請求項１８】
前記第１の加熱手段による加熱が終了したタイミングにおいて、前記吐出口列内の前記所定方向における第１の領域に位置するＮ個の吐出口と対応する位置に設けられた電気熱変換素子近傍の温度は、前記吐出口列内の前記所定方向における第２の領域に位置するＮ個の吐出口と対応する位置に設けられた電気熱変換素子近傍の温度よりも低い
ことを特徴とする請求項１２に記載のインクジェット記録装置。
【請求項１９】
熱エネルギーを利用してインクを吐出するために、インクに与える熱エネルギーを発生する電気熱変換素子を有する吐出口が複数配置される記録ヘッドを有し、該記録ヘッドを用いて記録媒体に画像を記録するインクジェット記録装置であって、
前記複数の吐出口に対応した電気熱変換素子それぞれに電圧を印加し、該複数の吐出口全てが配置された領域を加熱する第１の温調動作の実行を制御する第１の制御手段と、
前記複数の吐出口のうちいずれかの吐出口に対応した電気熱変換素子それぞれに電圧を印加し、前記吐出口の配置方向に沿ってその両端部から所定数の吐出口が配置された所定の領域よりも、該所定の領域以外に配置された吐出口の領域に対する加熱の度合いを弱くして加熱する第２の温調動作の実行を制御する第２の制御手段と、
前記記録の開始前に、前記第１の制御手段及び前記第２の制御手段を制御して、前記第１の温調動作と前記第２の温調動作とを含む複数段階の前記記録ヘッドの温度調整動作の実行を制御する温調制御手段と、を具備する
ことを特徴とするインクジェット記録装置。
【請求項２０】
インクを吐出するための複数の吐出口が所定方向に配列された吐出口列と、前記複数の吐出口それぞれと対応する位置に設けられ、電圧が印加されることによりインクを吐出するための熱エネルギーを生成する複数の電気熱変換素子と、を備えた記録ヘッドを用いて記録を行うインクジェット記録方法であって、
前記複数の電気熱変換素子からの単位時間当たりの発熱量が第１の量となるように、電気熱変換素子にインクが吐出されない程度の電圧を印加することによりインクが吐出されない程度に電気熱変換素子を発熱させて前記記録ヘッドの加熱を行う第１の加熱工程と、
前記複数の電気熱変換素子からの単位時間当たりの発熱量が前記第１の量よりも少ない第２の量となり、且つ、前記吐出口列内の前記所定方向における第１の領域に位置するＮ個の吐出口と対応する位置に設けられた電気熱変換素子からの単位時間当たりの発熱量が、前記吐出口列内の前記所定方向における前記第１の領域よりも前記吐出口列の端部から遠い第２の領域に位置するＮ個の吐出口と対応する位置に設けられた電気熱変換素子からの単位時間当たりの発熱量よりも多くなるように、電気熱変換素子にインクが吐出されない程度の電圧を印加することによりインクが吐出されない程度に電気熱変換素子を発熱させて前記記録ヘッドの加熱を行う第２の加熱工程と、
前記第１の加熱工程による加熱および前記第２の加熱工程による加熱の両方が行われた後、前記電気熱変換素子に電圧を印加してインクの吐出を開始する記録工程と、を有する
ことを特徴とするインクジェット記録方法。
【手続補正２】
【補正対象書類名】明細書
【補正対象項目名】００１９
【補正方法】変更
【補正の内容】
【００１９】
上記課題を解決するため、本発明の一態様は、インクを吐出するための複数の吐出口が所定方向に配列された吐出口列と、前記複数の吐出口それぞれと対応する位置に設けられ、電圧が印加されることによりインクを吐出するための熱エネルギーを生成する複数の電気熱変換素子とを備えた記録ヘッドと、前記複数の電気熱変換素子からの単位時間当たりの発熱量が第１の量となるように、電気熱変換素子に電圧を印加することによりインクが吐出されない程度に電気熱変換素子を発熱させて前記記録ヘッドの加熱を行う第１の加熱手段と、前記複数の電気熱変換素子からの単位時間当たりの発熱量が前記第１の量よりも少ない第２の量となり、且つ、前記吐出口列内の前記所定方向における第１の領域に位置するＮ個の吐出口と対応する位置に設けられた電気熱変換素子からの単位時間当たりの発熱量が、前記吐出口列内の前記所定方向における前記第１の領域よりも前記吐出口列の端部から遠い第２の領域に位置するＮ個の吐出口と対応する位置に設けられた電気熱変換素子からの単位時間当たりの発熱量よりも多くなるように、電気熱変換素子に電圧を印加することによりインクが吐出されない程度に電気熱変換素子を発熱させて前記記録ヘッドの加熱を行う第２の加熱手段と、前記第１の加熱手段による加熱および前記第２の加熱手段による加熱の両方が行われた後、前記電気熱変換素子に電圧を印加してインクの吐出を開始するように制御する制御手段と、を有する。
【手続補正３】
【補正対象書類名】明細書
【補正対象項目名】発明の名称
【補正方法】変更
【補正の内容】
【発明の名称】インクジェット記録装置およびインクジェット記録方法